(57)【特許請求の範囲】
【請求項１】
導体の上に高密度ポリエチレンで構成されている絶縁体を被覆し、前記絶縁体の上に白色又は黄色に彩色が施された高密度ポリエチレンからなる摩耗検知層を形成し、前記摩耗検知層の上に、高密度ポリエチレンにポリエチレンワックスを略均一に混練りして構成される摩耗層を包被して構成したことを特徴とする耐樹木絶縁電線。
【発明の詳細な説明】
【０００１】
【発明の属する技術分野】
本発明は、絶縁電線に係り、特に電気設備技術基準法第８６条に規定される耐樹木絶縁電線に関する。
【０００２】
【従来の技術】
一般に、低電圧架空電線と植物との離隔距離に関して電気設備技術基準法の第８６条第１項において「低圧又は高圧の架空電線は、常時吹いている風等により、植物に接触しないように施設すること」が義務付けられている。そして、電気設備技術基準に関する省令の第２９条においては、架空電線と植物とが接近する場合の植物への損傷と火災の防止を定めている。すなわち、架空電線と植物とが接触して、接地又は断線事故が発生したり、また、植物を損傷させたり、場合によっては火災になる場合もあるので、最近まで、低電圧架空電線と植物は、２０ｃｍの離隔距離を確保することが規定されていたが、「常時吹いている風等」によって植物が低電圧架空電線に接触しなければよいことになった。
しかし、低電圧架空電線を架線する場所は、「常時吹いている風等」によって植物が接触しないところばかりではなく、例えば、山間、僻地等に電気を供給する場合には、林や森の中を通さなければならないこともあり、低電圧架空電線と植物とが風等によって接触することが生じる。このような場合は、電気設備技術基準法の第８６条第１項に規定する「低圧又は高圧の架空電線は、常時吹いている風等により、植物に接触しないように施設すること」ができない。そこで、電気設備技術基準法では、第８６条第２項において、布設上、低圧又は高圧の架空電線を植物と風等によって接触するような場所に架設しなければならない場合について、「構造は、絶縁電線の上部に絶縁耐力及び耐摩耗性を有する摩耗検知層を施し、更にその上部に摩耗層を施した構造で、絶縁電線を一様な厚さに被覆したもの」であれば良いことを定めている。したがって、このような風等によって植物と接触する場所に布設する低圧又は高圧の架空電線には、電気設備技術基準法第８６条第２項に規定された構造の耐樹木絶縁電線が用いられる。
【０００３】
従来の耐樹木絶縁電線は、例えば、特開平６−２７５１４０号公報等に記載されるように、図２に示す如き構成を有している。すなわち、耐樹木絶縁電線１は、銅線又は銅撚線からなる導体２の上にポリエチレン、架橋ポリエチレン等からなる絶縁体３が被覆され、この絶縁体３の上に高密度ポリエチレン、高密度架橋ポリエチレン等からなる摩耗検知層４が被覆され、この摩耗検知層４の上に高密度ポリエチレン、高密度架橋ポリエチレン等からなる摩耗層５が形成されている。この摩耗検知層４は、耐樹木絶縁電線１の植物との接触によって受ける損傷の程度を知るためのもので、摩耗層５と異なる着色が施されている。したがって、耐樹木絶縁電線１が植物と接触することによって摩耗層５が摩耗し、摩耗層５の下層に設けられた摩耗検知層４が露出することになり、摩耗層５の露出状態によって耐樹木絶縁電線１の摩耗状態を知ることができる構成となっている。
【０００４】
【発明が解決しようとする課題】
このような耐樹木絶縁電線は、絶縁電線としての特性が要求され、この耐樹木絶縁電線が風等によって植物と接触して外層が摩耗すると絶縁電線としての特性が失われる虞があり、このような場合には、耐樹木絶縁電線を取り替える必要がある。ところが、このような耐樹木絶縁電線を使用する場所は、林や森の中に布設する場合で、しかも、山間や僻地等に布設することが多く、容易に取り替えられるものではない。したがって、耐樹木絶縁電線は、一旦布設すると、長期間に亘って取り替えなくて済むように耐摩耗性を有することが望まれている。
しかしながら、従来の耐樹木絶縁電線にあっては、耐樹木絶縁電線が風等によって植物と接触すると、最外層である摩耗層が容易に摩耗し、絶縁電線としての特性が失われことがあるため、短期間で耐樹木絶縁電線を取り替える必要があり、耐樹木絶縁電線の寿命が短いという問題点を有している。
【０００５】
本発明の目的は、摩耗層の耐摩耗性を向上すると共に電線の施工性を向上し、耐樹木絶縁電線としての寿命を向上させることにある。
【０００６】
【課題を解決するための手段】
上記目的を達成するために、請求項１に記載の耐樹木絶縁電線は、導体の上に高密度ポリエチレンで構成されている絶縁体を被覆し、前記絶縁体の上に白色又は黄色に彩色が施された高密度ポリエチレンからなる摩耗検知層を形成し、前記摩耗検知層の上に、高密度ポリエチレンにポリエチレンワックスを略均一に混練りして構成される摩耗層を包被して構成したものである。
このように構成することにより、請求項１に記載の発明によると、最外層である摩耗層の硬度を過度に上げずに摩耗層の寿命を上げることができるので、摩耗層の耐摩耗性を向上すると共に電線の施工性を向上することができ、耐樹木絶縁電線としての寿命を向上することができる。
【０００９】
【発明の実施の形態】
以下、本発明に係る耐樹木絶縁電線の実施の形態について説明する。
図１には、本発明に係る耐樹木絶縁電線の一実施の形態が示されている。
【００１０】
図において、耐樹木絶縁電線１０は、導体１１と、絶縁体１２と、摩耗検知層１３と、摩耗層１４とによって構成されている。
【００１１】
導体１１は、銅線又は銅撚線によって構成されている。
絶縁体１２は、導体１１の上に被覆されており、この絶縁体１２は、高密度ポリエチレン（ＨＤＰＥ）で構成されている。この高密度ポリエチレンは、中圧法（酸化クロムをシリカ−アルミナに担持させた触媒を用いて１００〜１５０℃、３０〜４０気圧で製造するフィリップス法）あるいは低圧法（トリエチルアルミニウムと塩化チタンを組み合わせて作った配位アニオン重合触媒を用い、希釈溶剤として低級脂肪族炭化水素を用い、反応器の圧力は、常圧〜７気圧、液温は６０〜８０℃で製造するチーグラー法）で得られる密度が０．９４１〜０．９６５のポリエチレンである。この高密度ポリエチレンのように、密度を増加させると、硬度、耐熱性、機械的性質が向上する。この絶縁体１２を導体１１に被覆して一般に絶縁電線が構成されている。
【００１２】
摩耗検知層１３は、絶縁体１２の上に被覆されている。この摩耗検知層１３には、彩色が施されており、摩耗層１４が植物と接触することによって摩耗し、擦り切れたときに、目視によって摩耗状態を発見できるようにするためのものである。この摩耗検知層１３は、高密度ポリエチレン（ＨＤＰＥ）で構成されており、着色には、白色又は黄色等の遠くから目視で確認し易い色が選択される。この摩耗検知層１３に高密度ポリエチレンを用いるのは、摩耗検知層１３に耐摩耗性を持たせ、摩耗層１４が植物と接触して摩耗し摩耗検知層１３が露出するような事態になったとき、耐樹木絶縁電線１０を張り替える前に、更に植物と接触しても絶縁体１２を保護する役目を果たすことができるからである。
【００１３】
摩耗層１４は、高密度ポリエチレンに外部滑剤を混合して構成されている。この摩耗層１４に、高密度ポリエチレンを用いたのは、耐摩耗性を高めるためである。この高密度ポリエチレン等の熱可塑性樹脂の耐摩耗性に影響を与える摩擦係数μは、次式のような関係を有している。
【００１４】
μ＝μ∞＋（Ａ／Ｌｈ）
但）Ａ  ：材料固有の恒数
μ∞  ：材料固有の恒数
Ｌ  ：normal  load
ｈ  ：ショアー硬さを１００で割った値
この式から摩擦係数μを低くし、耐摩耗性を向上させるには、材料の硬度を上げる必要があるが、材料の硬度を上げると電線の取り扱い性が低下してしまう。本実施の形態においては、高密度ポリエチレンに外部滑剤を混合して構成している。
滑剤は、内部滑剤と外部滑剤を有し、内部滑剤は、ポリマー相互間の潤滑性を向上させるもので、外部滑剤は、プラスチックと加工機械の接触面での潤滑性を向上させるものである。この外部滑剤として本実施の形態においては、炭化水素系滑剤を用いている。この炭化水素系滑剤は、化学的には安定で、比較的少量で滑性効果を現す。本実施の形態においては、炭化水素系滑剤の内の合成ワックスであるポリエチレンワックスを用いている。このポリエチレンワックスは、分子量１５００〜２０００の低分子量ポリエチレンまたはその不完全酸化物で、軟化点が１００℃以上であり、他のパラフィンワックス等の外部滑剤に比較して安定した滑性を得やすいという特徴を有している。
この外部滑剤であるポリエチレンワックスの高密度ポリエチレンへの混合方法は、混練りすることによって行っている。この外部滑剤であるポリエチレンワックスは、高密度ポリエチレンに略均一に練り込むのが最も効果的である。
【００１５】
したがって、本実施の形態によれば、外部滑剤を摩耗層１４に混練りした外部滑剤であるポリエチレンワックスの効果によって、耐摩耗性を向上させるため、摩耗層１４の硬度を過度に上げるようなことがなく、耐摩耗性を向上し摩耗層１４の耐久性を向上することができ、しかも、電線としての施工性を向上することができる。
【００１６】
【発明の効果】
請求項１に係る発明によれば、最外層である摩耗層の硬度を過度に上げずに摩耗層の寿命を上げることができるので、摩耗層の耐摩耗性を向上すると共に電線の施工性を向上することができ、耐樹木絶縁電線としての寿命を向上することができる。
【図面の簡単な説明】
【図１】本発明に係る耐樹木絶縁電線の一実施の形態を示す全体構成斜視図である。
【図２】従来の耐樹木絶縁電線の断面図である。
【符号の説明】
１０…………………耐樹木絶縁電線
１１…………………導体
１２…………………絶縁体
１３…………………摩耗検知層
１４…………………摩耗層
【図１】
0003956266.tif 000002
【図２】
0003956266.tif 000003